(57)【要約】【課題】印刷する紙面の拡大と、かつ、所定厚みの返信用葉書を形成しても段差の発生を緩和すること  【解決手段】  印刷物は、異なったラインで印刷される外，内紙１２．１４を用いる。外，内紙１２，１４は、仮想折れ線で区画される同じ長さの中紙部１２ａ，１４ａと左，右紙部１２ｂ，１４ｂ，１２ｃ，１４ｃとを有し、外，内紙１２，１４は、右紙部１２ｃ，１４ｃを表裏面で固着した返信葉書１６の形成領域１８を介して相互に積層連結される。外，内紙１２，１４は、左紙部１２ｂを中紙部１２ａ側に折畳んだ状態で、外周が開封可能に封止されて、一体物として取り扱える圧着チラシとなる。返信葉書１６の形成領域１８が設けられた内紙１４の該当部の表面には、一過性の接着剤で剥離可能に接着して開いた際に、外周にカット線が形成されている返信葉書１６が移動して、元の位置に角孔２４を開口させる端紙１４ｄを配置した。【選択図】図５
2014109626.tif 000002
【特許請求の範囲】
【請求項１】
異なったラインで印刷される２枚の外および内紙を用いる広告印刷物であって、
前記外および内紙は、仮想折れ線で区画される同じ長さの中紙部とその両側に繋がる左，右紙部とを有し、
前記外および内紙は、前記左，右紙部のいずれか一方同士を、当該部分の長さよりも短い範囲内で表裏面を固着した返信葉書の形成領域を介して相互に積層連結され、
前記外紙の前記左または右紙部の一方を前記中紙部側に折畳んだ状態で、外周が開封可能に封止されて、一体物として取り扱える圧着チラシとなり、
前記返信葉書の形成領域が設けられた前記内紙の該当部の表面には、一過性の接着剤で剥離可能に接着した端紙を有し、
前記端紙を開いた際に、外周にカット線が形成されている前記返信葉書が、前記端紙側に移動して、元の位置に角孔を開口させるようにしたことを特徴とする返信葉書付き広告印刷物。
【請求項２】
前記端紙は、左右に開かれる一対から構成され、
前記端紙の一方は、前記外紙の前記左紙部の端部に連結され、前記端紙の他方は、前記外または内紙のいずれか一方の前記右紙部の端部に連結され、
前記返信葉書の形成領域の側方の一方、または、双方に形成される非固着領域には、前記内紙の前記左，右紙部の、いずれか一方の端部また双方の端部に連結される細長いと突出片を配置することを特徴とする請求項１記載の返信葉書付き広告印刷物。
【請求項３】
前記端紙は、前記返信葉書の形成領域が設けられた前記内紙の右または左紙部の全表面を覆うように一過性の接着剤で剥離可能に接着されるとともに、前記外紙の前記左または右紙部の端部に連結され、
前記返信葉書の形成領域の側方の一方または双方に形成される非固着領域には、前記内紙の前記左，右紙部の、いずれか一方の端部また双方の端部に連結される細長い突出片を配置することを特徴とする請求項１記載の返信葉書付き広告印刷物。
【発明の詳細な説明】
【技術分野】
【０００１】
本発明は、新聞や雑誌などに折り込まれたり、書店などの店頭で配布される返信葉書付き広告印刷物に関するものである。
【背景技術】
【０００２】
新聞に折り込まれる広告印刷物は、１枚の紙面の両側に商品情報を印刷したものが一般的である。しかし、このような単純な方式の広告印刷物では、表現方法などに特別な工夫をしなければ、商品の購買意欲を惹起する力が弱い。そこで、たとえば、特許文献１には、広告情報の一部をあえて隠すことで、隠された部分に何が書かれているか、開いて見たいという意識を刺激して、開いて広告情報を見てもらうことで、購買意欲を向上させようとする広告印刷物が提案されている。特許文献１では、一過性の接着剤で広告用紙を剥離可能に封止することで、上記目的を達成している。
【０００３】
特許文献１に提案されている広告印刷物では、広告を見て商品などに興味を持った人が商品の購買注文をするためなどに用いる返信用葉書が添付されており、同文献では、返信用葉書が剥離可能に接着されている部分を開くと、元の位置から移動し、元の位置に葉書形状の角孔が開口するようになっており、このようなサプライズを演出することで、興味を継続させて、葉書の返信率を高めるようにしている。
【０００４】
ところで、広告印刷物に添付される返信葉書は、通常の郵便葉書と同様に取り扱われるので、大きさや厚みが規格により定められており、一般に広告印刷物に採用されている用紙では、そのまま返信葉書に用いると厚みが不足する。そこで、例えば、特許文献２には、用紙を２枚固着することで、返信用葉書とすることが提案されている。
しかしながら、これらの特許文献に提案されている返信葉書付き広告印刷物には、特に、印刷物に含まれる情報量を拡大する際に、以下に説明する技術的な課題があった。  
【０００５】
【特許文献１】特許第４６８５９７０号
【特許文献２】特開２００４−１３３０６５号
【発明の開示】
【発明が解決しようとする課題】
【０００６】
すなわち、上述したような広告印刷物においては、情報量を拡大することで、さらに返信率を向上させたいと言う要請があり、これに応えるためには、紙面を増加させる必要がある。ところで、新聞折込用の広告印刷物では、外周が封止され、一体物として取り扱える形態の圧着チラシとすることが経済性の面から要請される。
【０００７】
特許文献１に示されている広告印刷物においては、圧着チラシの要件と共に、開いたときのサプライズを損なうことなく、添付されている返信葉書の規格を満足させる必要がある。このような要求を満足させる手段としては、例えば、引用文献２に開示されている技術を適用して、葉書規格を満足させ、かつ、紙面の増大を図ることが考えられ、その際の一例の構成を図１８〜図２２に示している。
【０００８】
同図に示した返信葉書付き広告印刷物は、例えば、Ｂ５サイズの用紙を２枚繋いだ大きさで、外周が封止された圧着チラシとして新聞に折込まれるものであって、２枚の同じ幅Ｗで、かつ、同じ厚みの用紙１と用紙２とから構成されている。用紙１は、仮想の折れ線で区画されたＢ５サイズの大きさの３枚の中紙１ａ，左紙１ｂ，右紙１ｃと、左および右紙１ｂ，１ｃの両端に連なる左および右端紙１ｄ，１ｅとから構成されており、左右の端紙１ｄ，１ｅの合計幅は、略Ｂ５サイズになっている。
【０００９】
用紙２は、幅が返信用葉書３よりも若干大きなサイズになっている。用紙２は、用紙１の右紙１ｃの中央部分に塗布されている接着剤４を介して、用紙１に固着される。この接着剤４は、後述する一過性の接着力しかないものと異なり、通常の接着力が得られるものであって、剥離が困難な状態で接着される。
【００１０】
そして、用紙１の外周面には、所定の幅で一過性の接着力が得られる接着剤５が、接着された用紙２の上下端と、返信用葉書３の上面も含めて塗布される。このように構成した用紙１，２を、まず、左端紙１ｄと左紙１ｂとを折り線６を介して、中紙１ａと右紙１ｃ上に折畳み、折り線７を介して、右端紙１ｅを用紙２上に折畳み、接着剤５で接着すると、図２０に示すように、Ｂ４サイズの大きさになり、これをさらに、折れ線８で折畳むと、図２１に示すように、Ｂ５サイズの大きさになる。
【００１１】
このような構成の返信葉書付き広告印刷物では、図２０に示した状態で、左右の端紙１ｄ，１ｅを左右に開くと、図２２に示すように、返信葉書３が、右端紙１ｅの裏面に付着して、右端紙１ｅ側に移動し、元の場所、すなわち、用紙２の右紙１ｃには、返信葉書３の大きさに相当する角孔９が開口し、このようなサプライズを演出することで、返信率の向上が期待される。なお、このような葉書３の移動を可能にするために、返信葉書３の外周には、用紙２から切り離すためにカット線が予め形成されている。
【００１２】
ところが、上記構成の広告印刷物では、１本の巻取りにより、印刷物を製作するので、紙面の増加量が十分に確保されないという問題があった。また、紙を２枚重ねにして、返信葉書３の厚みを得るための用紙２は、接着剤４で固着した面に印刷ができないので、可能な限り幅を狭くしている。用紙２の幅を狭くすると、用紙１の右紙１ｃ上に固着した際に、用紙２の左右に、右紙１ｃの一部が露出した領域が出現する。この露出領域は、右紙１ｃ分の厚みしかないので、用紙２上に左，右端紙１ｄ，１ｅを、接着剤５を介して接着すると、露出領域は、用紙２の厚みと、接着剤４の厚みに相当する分の段差が発生する。このような段差が発生すると、製造した印刷物を多数枚積層して出荷する際に歪みが生じるという問題があった。
【００１３】
本発明は、このような従来の問題点に鑑みてなされたものであって、その目的とするところは、各種の情報を印刷する紙面の拡大が十分に図れ、かつ、返信用葉書の厚みを用紙の積層固着により確保しても、段差の発生を緩和することができる返信葉書付き広告印刷物を提供することにある。
【課題を解決するための手段】
【００１４】
上記目的を達成するため、本発明は、異なったラインで印刷される２枚の外および内紙を用いる広告印刷物であって、前記外および内紙は、仮想折れ線で区画される同じ長さの中紙部とその両側に繋がる左，右紙部とを有し、前記外および内紙は、前記左，右紙部のいずれか一方同士を、当該部分の長さよりも短い範囲内で表裏面を固着した返信葉書の形成領域を介して相互に積層連結され、前記外紙の前記左または右紙部の一方を前記中紙部側に折畳んだ状態で、外周が開封可能に封止されて、一体物として取り扱える圧着チラシとなり、前記返信葉書の形成領域が設けられた前記内紙の該当部の表面には、一過性の接着剤で剥離可能に接着した端紙を有し、前記端紙を開いた際に、外周にカット線が形成されている前記返信葉書が、前記端紙側に移動して、元の位置に角孔を開口させるようにした。
【００１５】
以上のように構成した返信葉書付き広告印刷物によれば、異なったラインで印刷された２枚の外および内紙を用いる広告印刷物であって、外および内紙は、仮想折れ線で区画される同じ長さの中紙部とその両側に繋がる左，右紙部とを有しているので、各種の情報を印刷する紙面の拡大が十分に図れる。
【００１６】
また、外および内紙は、左，右紙部のいずれか一方同士を、当該部分の長さよりも短い範囲内で表裏面を固着した返信葉書の形成領域を介して相互に連結されるので、この返信葉書の形成領域を、例えば、葉書の短辺の長さに、カット線を形成するに際の糊代部分を加えた長さとすれば、従来品に比べて、情報の印刷に使用できない領域をより少なくすることができる。さらに、返信葉書の形成領域の側方に形成される非固着領域には、外紙と内紙とが積層されるので、返信葉書の形成領域と非固着領域との厚みの差は、固着用の接着剤の厚み分だけとなり、従来の場合よりも段差を緩和することができる。
【００１７】
前記端紙は、左右に開かれる一対から構成され、前記端紙の一方は、前記外紙の前記左紙部の端部に連結され、前記端紙の他方は、前記外または内紙のいずれか一方の前記右紙部の端部に連結され、前記返信葉書の形成領域の側方の一方、または、双方に形成される非固着領域には、前記内紙の前記左，右紙部の、いずれか一方の端部また双方の端部に連結される細長いと突出片を配置することができる。
【００１８】
前記端紙は、前記返信葉書の形成領域が設けられた前記内紙の右または左紙部の全表面を覆うように一過性の接着剤で剥離可能に接着されるとともに、前記外紙の前記左または右紙部の端部に連結され、前記返信葉書の形成領域の側方の一方または双方に形成される非固着領域には、前記内紙の前記左，右紙部の、いずれか一方の端部また双方の端部に連結される細長い突出片を配置することができる。
【００１９】
上記構成によれば、返信葉書の形成領域の側方の一方または双方に形成される非固着領域には、内紙の左，右紙部の、いずれか一方の端部また双方の端部に連結される細長い突出片を載置するので、返信葉書の厚みを確保するときに発生する段差を緩和することができ、特に、用紙の厚みを固着用接着剤の厚みと同じにすると、段差をほぼ完全になくすことができる。
【発明の効果】
【００２０】
本発明にかかる返信葉書付き広告印刷物によれば、各種の情報を印刷する紙面の拡大が十分に図れ、かつ、返信用葉書の厚みを用紙の積層固着により確保しても、段差の発生を緩和することができる。
【図面の簡単な説明】
【００２１】
【図１】本発明にかかる返信葉書付き広告印刷物の第１実施例を示す用紙の展開図である。
【図２】図１に示した２枚の用紙を固着した状態の平面図である。
【図３】図２に示した用紙を半分に折畳んだ状態の平面図である。
【図４】図３に示した状態から端紙を返信葉書の上部に折畳んだ状態の平面図である。
【図５】本発明にかかる返信葉書付き広告印刷物の第１実施例において、返信葉書が移動した状態を示す斜視図である。
【図６】本発明にかかる返信葉書付き広告印刷物の第２実施例を示す用紙の展開図である。
【図７】図６に示した２枚の用紙を固着した状態の平面図である。
【図８】図６に示した用紙を半分に折畳んだ状態の平面図である。
【図９】図６に示した状態から端紙を返信葉書の上部に折畳んだ状態の平面図である。
【図１０】本発明にかかる返信葉書付き広告印刷物の第２実施例において、返信葉書が移動した状態を示す斜視図である。図４の部分拡大図である。
【図１１】本発明にかかる返信葉書付き広告印刷物の第３実施例を示す要部説明図である。
【図１２】本発明にかかる返信葉書付き広告印刷物の第４実施例を示す要部説明図である。
【図１３】本発明にかかる返信葉書付き広告印刷物の第５実施例を示す用紙の展開図である。
【図１４】図１３に示した２枚の用紙を固着した状態の平面図である。
【図１５】図１３に示した用紙を半分に折畳んだ状態の平面図である。
【図１６】図１５に示した状態から端紙を返信葉書の上部に折畳んだ状態の平面図である。
【図１７】本発明にかかる返信葉書付き広告印刷物の第５実施例において、返信葉書が移動した状態を示す斜視図である。
【図１８】従来の返信葉書付き広告印刷物の一例を示す用紙の展開図である。
【図１９】図１８に示した２枚の用紙を固着した状態の平面図である。
【図２０】図１８に示した用紙を半分に折畳んだ状態の平面図である。
【図２１】図１８に示した状態からさらに半分に折畳んだ状態の平面図である。
【図２２】従来の返信葉書付き広告印刷物において、返信葉書が移動した状態を示す平面図である。
【発明を実施するための最良の形態】
【００２２】
以下、本発明の好適な実施の形態について、添付図面に基づいて詳細に説明する。図１から図５は、本発明にかかる返信葉書付き広告印刷物の第１実施例を示している。これらの図に示した返信葉書付き広告印刷物１０は、異なったラインで、異なった内容が印刷される２枚の外紙１２と内紙１４とが用いられる。本実施例の場合、外およびうち紙１２，１４は、同じ幅Ｗ、例えば、Ｂ５用紙の縦長さと同じ幅になっており、かつ、同じ厚みになっている。なお、外，内紙１２，１４の幅Ｗは、上記した内容に限る必要はない。
【００２３】
外紙１２は、仮想折れ線ａ，ｂ，ｃで区画される中紙部１２ａと、その両側に繋がる左および右紙部１２ｂ，１２ｃを有している。内紙１４は、仮想折れ線ａ，ｂ，ｄで区画される中紙部１４ａと、その両側に繋がる左および右紙部１４ｂ，１４ｃを有している。本実施例の場合、これらの各紙部１２ａ〜１２ｃ、１４ａ〜１４ｃは、同じ長さになっていて、Ｂ５用紙の横幅に設定される。
【００２４】
外紙１２の右紙部１２ｃの表面には、接着剤Ａ（接着糊）が所定の長さｌとなるように塗布されている。本実施例の場合、接着剤Ａの塗布領域は、返信葉書１６の形成領域１８となるものであって、右紙部１２ｃの右端から中紙部１２ａ側に延設され、右紙部１４ｃの全長よりも小さくなっていて、例えば、返信葉書１６の短辺の長さに、カット線を形成する際の糊代部分を加えた長さに設定される。外紙部１２の左紙部１２ｂの左端側には、左端紙１２ｄが配置されている。内紙部１４の右紙部１４ｃの右端側には、右端紙１４ｄが配置されている。本実施例の場合、左端紙１２ｄと右端紙１４ｄの合計長さは、ほぼＢ５用紙の横幅に等しくなっている。なお、本実施例の場合には、右端紙１４ｄが後述する返信葉書１６の形成領域１８を覆う長さになっており、左端紙１２ｄが同様に非固着領域２２を覆うように設定されている。
【００２５】
以上のように構成された外，内紙１２，１４の外周縁には、外周に沿って、所定幅の剥離可能な接着剤Ｂが、直線状またはドット状に塗布されている。この接着剤Ｂは、例えば、一過性の接着力が圧力を加えることで得られる感圧接着剤を好適に用いることができる。以上のような構成の外，内紙１２，１４は、外紙１２の表面側に内紙１４の裏面側を重ねて接着剤Ａで両者を固着すると、図２に示した状態となる。この場合、内紙１４を外紙１２に重ねる際には、双方の右紙部１２ｃ，１４ｃ同士が相互に積層されるように位置決めする。
【００２６】
外，内紙１２，１４同士を接着剤Ａで固着すると、接着剤Ａが塗布されていた領域では、外紙１２と内紙１４とが剥離困難な状態で接着されて、両者が連結されると共に、この部分が規定された厚みを有する返信葉書１６の形成領域１８となる。このようにして返信葉書１６の形成領域１８を設けると、右紙部１２ｃの左端側には、非固着領域２２が形成される。
【００２７】
次に、仮想折れ線ｂを介して、左紙部１２ｂが中紙部１２ａ上に位置するように、略半分の長さに折畳むと図３に示したようになる。ついで、内紙１４の右端紙１４ｄを仮想折れ線ｄを介して、右端紙１４ｄが返信葉書１６の形成領域１８上に位置するようにして折畳むと、図４に示した状態になる。図４に示した状態は、いわゆる見開きＢ４版の大きさになっており、この状態で感圧接着剤Ｂに圧力を加えて接着すると、外周が開封可能（剥離可能）に封止されて、新聞折込の際に、一体物として取扱いが可能な圧着チラシとなる。なお、剥離可能な接着剤Ｂは、図示はしていないが、右端紙１４ｄの表面が返信葉書１６に接着するような位置に適宜塗布されるとともに、返信葉書１６の周縁には、この部分のみを分離することができるカット線が、感圧接着した後に形成される。
【００２８】
以上のように構成され返信葉書付き広告印刷物１０では、図４に示した状態から、左および右端紙１２ｄ，１４ｄを左右に開くと、返信葉書１６は、元の位置から右端紙１４ｄ側に移動し、元の位置には、葉書形状の角孔２４が形成され、外紙１２の内面，内紙１４の内外面に印刷されている文字やイラスト、模様などの広告情報を見ることができる。
【００２９】
さて、以上のように構成された返信葉書付き広告印刷物１０によれば、以下の作用効果が得られる。まず、異なったラインで印刷された２枚の外および内紙１２，１４を用いる広告印刷物１０であって、外および内紙１２，１４は、仮想折れ線ａ〜ｃで区画される同じ長さの中央紙部１２ａ，１４ａとその両側に繋がる左，右紙部１２ｂ，１４ｂ，１２ｃ，１４ｃとを有しているので、各種の情報を印刷する紙面の拡大が十分に図れ、前述した従来例の場合よりも、７０〜８０％も増加する。
【００３０】
また、外，内紙１２，１４は、右紙部１２ｃ，１４ｃ同士を、当該部分の長さよりも短い範囲内で表裏面を固着した返信葉書１６の形成領域１８を介して相互に連結されるので、この返信葉書１６の形成領域１８を、例えば、葉書の短辺の長さに、カット線を形成するに際の糊代部分を加えた長さとすれば、従来品に比べて、情報の印刷に使用できない領域をより少なくすることができる。さらに、返信葉書１６の形成領域１８の左側方に形成される非固着領域２２には、外，内紙１２，１４とが積層されるので、返信葉書１６の形成領域１８と非固着領域２２との厚みの差は、固着用の接着剤Ａの厚み分だけとなり、従来の場合よりも段差を緩和することができる。なお、上述した実施例１では、返信葉書１６の形成領域１８を右紙部１２ｃ側に配置しているが、形成領域１８は、左紙部１２ｂ側に設けることもできる。また、実施例１では、端紙１２ｄ，１４ｄを左右に開いた際に返信葉書１６が移動するように構成したいわゆる観音開きを例示したが、これ以外に、たとえば、後に説明する実施例で採用している全面開きとすることもできる。さらに、観音開きにする場合でも、開く位置は任意に設定することができる。
【００３１】
図６から図１０は、本発明にかかる返信葉書付き広告印刷物の第２実施例を示している。なお、以下の説明では、上記実施例と同一もしくは相当する部分には、同一ないしは関連する符号を付して、その説明を省略ないしは簡略化し、特徴点についてのみ詳述する。これらの図に示した返信葉書付き広告印刷物１００は、異なったラインで、異なった内容が印刷される２枚の外紙１２０と内紙１４０とが用いられる。
【００３２】
外紙１２０は、仮想折れ線ａ，ｂ，ｃで区画される中紙部１２０ａと、左および右紙部１２０ｂ，１２０ｃを有している。内紙１４０は、仮想折れ線ａ，ｂ，ｄで区画される中紙部１４０ａと、る左および右紙部１４０ｂ，１４０ｃを有している。これらの各紙部１２０ａ〜１２０ｃ、１４０ａ〜１４０ｃは、同じ長さになっている。
【００３３】
外紙１２０の右紙部１２０ｃの表面には、接着剤Ａ（接着糊）が所定の長さｌで塗布されている。接着剤Ａの塗布領域は、実施例１と同様に、右紙部１２０ｃの全長よりも小さくなっており、この接着剤Ａの塗布領域が返信葉書１６の形成領域１８となっている。左紙部１２０ｂの左端には、左端紙１２０ｄが配置され、内紙部１４０の右紙部１４０ｃの右端側には、右端紙１４０ｄが配置されている。また、内紙１４０には、左紙部１４０ｂの左端に繋がる細長い突出片１４０ｅが設けられている。この突出片１４０ｅの長さは、後述する非固着領域２２とほぼ同じ長さになっている。
【００３４】
以上のように構成された外，内紙１２，１４の外周縁には、実施例１と同様に、剥離可能な接着剤Ｂが塗布されており、この接着剤Ｂは、一過性の接着力が圧力を加えることで得られる感圧接着剤を好適に用いることができ、以上のような構成の外，内紙１２０，１４０は、外紙１２０の表面側に内紙１４０の裏面側を重ねて接着剤Ａで両者を接着すると、図７に示した状態となる。内紙１４０を外紙１２０に重ねる際には、双方の右紙部１２０ｃ，１４０ｃ同士が相互に積層されるように位置決めする。
【００３５】
外，内紙１２，１４同士を接着剤Ａで固着すると、接着剤Ａが塗布されていた領域では、両者が連結されると共に、この部分が返信葉書１６の形成領域１８となる。このようにして返信葉書１６の形成領域１８を設けると、右紙部１２０ｃの左端側には、非固着領域２２が形成される。
【００３６】
次に、仮想折れ線ｂを介して、左紙部１２０ｂが中紙部１２０ａ上に位置するように、略半分の長さに折畳むと図８に示したようになる。この折畳み状態では、内紙１４０の突出片１４０ｅが非固着領域２２の直上に載置された状態になる。ついで、内紙１４０の右端紙１４０ｄを仮想折れ線ｄを介して、右端紙１４０ｄが返信葉書１６の形成領域１８上に位置するようにして折畳むと、図９に示した状態になる。図９に示した状態は、いわゆる見開きＢ４版の大きさになっており、この状態で感圧接着剤Ｂに圧力を加えて接着すると、外周が開封可能（剥離可能）に封止されて、新聞折込の際に、一体物として取扱いが可能な圧着チラシとなる。なお、剥離可能な接着剤Ｂは、図示はしていないが、右端紙１４０ｄの表面が返信葉書１６に接着するような位置に適宜塗布されるとともに、返信葉書１６の周縁には、この部分のみを分離することができるカット線が、感圧接着した後に形成される。
【００３７】
以上のように構成され返信葉書付き広告印刷物１０では、図９に示した状態から、左および右端紙１２０ｄ，１４０ｄを左右に開くと、図１０に示すように、返信葉書１６は、元の位置から右端紙１４０ｄ側に移動し、元の位置には、葉書形状の角孔２４が形成され、外紙１２０の内面，内紙１４０の表裏面に印刷されている文字や模様などを見ることができる。
【００３８】
さて、以上のように構成した実施例２によれば、上記実施例１と同様な作用効果が得られると共に、これに加えて以下の作用効果も得られる。すなわち、本実施例の場合、内紙１４０の左紙部１４０ｂの端部に連結される細長い突出片１４０ｅを設け、これを非固着領域２２の直上に載置するので、返信葉書１６の厚みを確保するときに発生する段差をより一層緩和することができ、特に、用紙の厚みを固着用接着剤Ａの厚みと同一にすると、段差をほぼ完全になくすことができる。
【００３９】
図１１は、本発明にかかる返信葉書付き広告印刷物の第３実施例を示しており、上記実施例と同一もしくは相当する部分には、同一ないしは関連性のある符号を付して、その説明を簡略化すると共に、以下にその特徴部分についてのみ詳述する。この図に示した広告印刷物１０１は、上記実施例と同様に、外，内紙１２１，１４１が用いられる。
この実施例においても、上記実施例と同様に、詳細は図示していないが、各紙１２１，１４１は、中紙部と１２１ａ，１４１ａと左右の紙部２１１ｂ．１４１ｂ，１２１ｃ，１４１ｃとを有している。外紙部１２１の両端には、左端紙１２１ｄと右端紙１２１ｅとが設けられている。内紙１４１の右端側には、右紙部１４１ｃに繋がる細長い突出片１４１ｄが設けられている。
【００４０】
本実施例の場合、接着剤Ａにより外，内紙１２，１４を固着することで形成される返信葉書１６の形成領域１８は、外紙１２１の右紙部１２１ｃの左端側に配置しており、そのため、非固着領域２２は、右紙部１２１ｃの右側に形成される。この非固着領域２２の直上には、これを覆うようにして、内紙１４１の突出片１４１ｄが載置される。以上のように構成された実施例３においても、上記実施例２と同様な作用効果が得られる。
【００４１】
図１２は、本発明にかかる返信葉書付き広告印刷物の第４実施例を示しており、上記実施例と同一もしくは相当する部分には、同一ないしは関連性のある符号を付して、その説明を簡略化すると共に、以下にその特徴部分についてのみ詳述する。この図に示した広告印刷物１０２は、上記実施例と同様に、同じ幅で同じ厚みの外，内紙１２２，１４２が用いられる。この実施例においても、上記実施例と同様に、詳細は図示していないが、各紙１２２，１４２は、中紙部と１２２ａ，１４２ａと左右の紙部１２２ｂ．１４２ｂ，１２２ｃ，１４２ｃとを有している。外紙部１２２の両端には、左端紙１２２ｄと右端紙１２２ｅとが設けられている。内紙１４２には、左紙部１４２ｂの端部に繋がる細長い左突出片１４２ｄが設けられるとともに、右紙部１４２ｃに繋がる細長い右突出片１４２ｅが設けられている。
【００４２】
本実施例の場合、接着剤Ａにより外，内紙１２２，１４２を固着することで形成される返信葉書１６の形成領域１８は、外紙１２２の右紙部１２２ｃの中央に配置しており、そのため、非固着領域２２は、形成領域１８の両側に形成される。この非固着領域２２の直上には、これらを覆うようにして、内紙１４２の突出片１４２ｄ，１４２ｅが載置される。以上のように構成された実施例４においても、上記実施例２と同様な作用効果が得られる。
【００４３】
図１３から図１７は、本発明にかかる返信葉書付き広告印刷物の第５実施例を示している。なお、以下の説明では、上記実施例と同一もしくは相当する部分には、同一ないしは関連する符号を付して、その説明を省略ないしは簡略化し、特徴点についてのみ詳述する。これらの図に示した返信葉書付き広告印刷物１０３は、異なったラインで、異なった内容が印刷される２枚の外紙１２３と内紙１４３とが用いられる。
【００４４】
外紙１２３は、仮想折れ線ａ，ｂで区画される中紙部１２３ａと、左および右紙部１２３ｂ，１２３ｃを有している。内紙１４３は、仮想折れ線ａ，ｂ，ｃ，ｄで区画される中紙部１４３ａと、左および右紙部１４３ｂ，１４３ｃを有している。これらの各紙部１２３ａ〜１２３ｃ、１４３ａ〜１４３ｃは、上記実施例と同様に、同じ長さになっている。
【００４５】
外紙１２３の右紙部１２３ｃの表面には、接着剤Ａ（接着糊）が所定の長さｌで塗布されている。接着剤Ａの塗布領域は、実施例１と同様に、右紙部１２３ｃの全長よりも小さくなっている。内紙部１４３の右紙部１４３ｃの右端側には、右端紙１４３ｄが配置されている。この右端紙１４３ｄは、各紙部１４３ａ〜１４３ｃと同じ長さに設定されている。また、内紙１４３には、左紙部１４３ｂの左端に繋がる細長い突出片１４３ｅが設けられている。
【００４６】
以上のように構成された外，内紙１２３，１４３の外周縁には、実施例１と同様に、剥離可能な接着剤Ｂが塗布されており、この接着剤Ｂは、一過性の接着力が圧力を加えることで得られる感圧接着剤を好適に用いることができ、この領域が返信葉書１６の形成領域１８となる。以上のような構成の外，内紙１２３，１４３は、外紙１２３の表面側に内紙１４３の裏面側を重ねて接着剤Ａで両者を接着すると、図１４に示した状態となる。内紙１４３を外紙１２３に重ねる際には、双方の右紙部１２３ｃ，１４３ｃ同士が相互に積層されるように位置決めする。
【００４７】
外，内紙１２３，１４３同士を接着剤Ａで固着すると、接着剤Ａが塗布されていた領域では、両者が連結されると共に、この部分が返信葉書１６の形成領域１８となる。このようにして返信葉書１６の形成領域１８を設けると、右紙部１２３ｃの左端側には、非固着領域２２が形成される。
【００４８】
次に、仮想折れ線ｂを介して、左紙部１２３ｂが中紙部１２３ａ上に位置するように、略半分の長さに折畳むと図１５に示したようになる。この折畳み状態では、内紙１４３の突出片１４３ｅが非固着領域２２の直上に載置された状態になる。ついで、内紙１４３の右端紙１４３ｄを仮想折れ線ｄを介して、右端紙１４３ｄが返信葉書１６の形成領域１８上に位置するようにして折畳むと、図１６に示した状態になり、本実施例の場合には、右端紙１４３ｄが、右紙部１４３ｂの全面を覆うことになる。図１６に示した状態は、いわゆる見開きＢ４版の大きさになっており、この状態で感圧接着剤Ｂに圧力を加えて接着すると、外周が開封可能（剥離可能）に封止されて、新聞折込の際に、一体物として取扱いが可能な圧着チラシとなる。なお、剥離可能な接着剤Ｂは、図示はしていないが、右端紙１４３ｄの表面が返信葉書１６に接着するような位置に適宜塗布されるとともに、返信葉書１６の周縁には、この部分のみを分離することができるカット線が、感圧接着した後に形成される。
【００４９】
以上のように構成され返信葉書付き広告印刷物１０３では、図１６に示した状態から、右端紙１４３ｄを右側に開き、かつ、外紙１２３の左紙部１２３ｂを左方向に開くと、図１７に示すように、返信葉書１６は、元の位置から右端紙１４３ｄ側に移動し、元の位置には、葉書形状の角孔２４が形成され、外紙１２３の内面，内紙１４３の表裏面に印刷されている文字や模様などを見ることができる。以上のように構成した実施例５においても上記実施例と同様な作用効果が得られる。
【００５０】
なお、実施例５では、返信葉書１６の形成領域１８を覆う端紙１４３ｄを内紙１４３側に設けたものを例示したが、この端紙は、外紙１２３の右紙部１２３ｃに設けてもよい。また、返信葉書１６の形成領域１８は、上記実施例３および４に示したように、中央に設けたり、あるいは左端に設けることもでき、これらの構成を採用するときには、非固着領域２２上に載置する突出片は、内紙１４３に対応するように配置すればよい。また、上記各実施例では、２枚の用紙として、外紙と内紙の幅Ｗが同じものを用いる場合を例示したが、本発明の実施はこれに限定されるものではなく、一方が他方よりも小さい幅のものを用いることができる。この場合、剥離可能な接着剤Ｂは、必ずしも内紙１２に塗布する必要がないので、例えば、図１に示した展開図において、内紙１２の幅を接着剤Ｂの塗布領域だけ小さくすると、印刷可能な面積が若干少なくなるが、接着剤Ｂの使用量を低減することができる。
【符号の説明】
【００５１】
１０：返信葉書付き広告印刷物
１２：外紙
１４：内紙
１２ａ：中紙部
１２ｂ：左紙部
１２ｃ：右紙部
１４ａ：中紙部
１４ｂ：左紙部
１４ｃ：右紙部
１６：返信葉書
１８：形成領域
２２：非固着領域
２４：角孔
【図１】
2014109626.tif 000003
【図２】
2014109626.tif 000004
【図３】
2014109626.tif 000005
【図４】
2014109626.tif 000006
【図５】
2014109626.tif 000007
【図６】
2014109626.tif 000008
【図７】
2014109626.tif 000009
【図８】
2014109626.tif 000010
【図９】
2014109626.tif 000011
【図１０】
2014109626.tif 000012
【図１１】
2014109626.tif 000013
【図１２】
2014109626.tif 000014
【図１３】
2014109626.tif 000015
【図１４】
2014109626.tif 000016
【図１５】
2014109626.tif 000017
【図１６】
2014109626.tif 000018
【図１７】
2014109626.tif 000019
【図１８】
2014109626.tif 000020
【図１９】
2014109626.tif 000021
【図２０】
2014109626.tif 000022
【図２１】
2014109626.tif 000023
【図２２】
2014109626.tif 000024